(57)【特許請求の範囲】
【請求項１】
複数枚の面材と、
前記複数枚の面材を保持する枠部材と、
を備えた面材保持構造体であって、
前記複数枚の面材は、各々の前記面材間にスペーサーを介して互いに間隔を隔てて対面され、前記複数枚の面材のうちの、面外方向における一方側の端に配置される１枚の前記面材は、他の前記面材より面内方向において外方側に突出され、
前記スペーサーは、前記他の面材の周縁部より内側に配置され、
前記１枚の面材の前記他の面材より突出した突出部位と前記枠部材とが対面して形成される空間、及び、対面する前記面材間に介在された前記スペーサーと前記枠部材とが対面して形成される空間に、前記対面する前記面材同士、及び、前記面材と前記枠部材とを固定する固定剤が充填されており、
前記複数枚の面材は、前記他の面材と前記枠部材との間に配置部材が介在されて、前記枠部材との間に前記空間が形成されていることを特徴とする面材保持構造体。
【請求項２】
請求項１に記載の面材保持構造体であって、
前記面材は透光性を有し、
前記面材と前記スペーサーとの間にはシール材が介在されており、
前記固定剤と前記シール材とは同系色であることを特徴とする面材保持構造体。
【請求項３】
請求項１に記載の面材保持構造体であって、
前記面材は透光性を有し、
前記面材と前記スペーサーとの間にはシール材が介在されており、
前記固定剤と前記シール材とは互いに異なる色であることを特徴とする面材保持構造体。
【請求項４】
請求項１に記載の面材保持構造体であって、
前記面材は透光性を有し、
前記面材と前記スペーサーとの間にはシール材が介在されており、
前記１枚の面材の、前記固定剤と前記シール材とが接触している部位またはその裏面が塗装されていることを特徴とする面材保持構造体。
【請求項５】
請求項１乃至請求項４のいずれかに記載の面材保持構造体を障子とし、前記障子が取り付けられる枠部材を有することを特徴とする建具。
【請求項６】
複数枚の面材を対面させるとともに、前記複数枚の面材のうちの１枚の前記面材を他の前記面材より外方側に突出させ、前記他の面材の周縁部より内側にてスペーサーを介することにより互いに間隔を隔てて前記複数枚の面材を仮固定して面材仮ユニットを形成する面材仮ユニット生成工程と、
前記面材仮ユニットが有する前記１枚の前記面材の前記他の面材より突出した突出部位、及び、対面する前記面材間に介在された前記スペーサーと、当該面材仮ユニットが保持される枠部材とを対面させ、前記スペーサーの枠部材側において各々の面材間に形成されるスペーサー側空間と、前記１枚の面材と前記枠部材とが対面する面材側空間とが形成されるように配置する配置工程と、
前記スペーサー側空間と前記面材側空間とに固定剤を充填して、各々の前記面材と前記枠部材とを固定して前記面材を前記枠部材にて保持する面材保持工程と、
を有することを特徴とする面材保持方法。
【発明の詳細な説明】
【技術分野】
【０００１】
本発明は、複数枚の面材と、複数枚の面材を保持する枠部材と、を備えた面材保持構造体、建具、及び、面材保持方法に関する。
【背景技術】
【０００２】
複数枚の面材と、複数枚の面材を保持する保持枠と、を備えた面材保持構造体としては、例えば、接着機能を有するシール材により複層ガラスが保持枠に取り付けられている複層ガラス障子が知られている（例えば、特許文献１参照）。このような複層ガラス障子の複層ガラスは、短寸板ガラスと長寸板ガラスとがそれらの周辺部にスペーサーと１次シールとを介して配置されて、短寸板ガラスと長寸板ガラスとの間に空気層が形成されている。そして、スペーサーよりガラス板の端縁側は、接着機能を有する２次シール材にてシールが施されるとともに接着されている。このとき、長寸板ガラスは、スペーサーの外部側に施された２次シール材より外側に、すなわち、短寸板ガラスより外側に突出するように構成されている。そして、複層ガラスの長寸板ガラスの突出している部分と、スペーサーの外周側に設けられた２次シール材と短寸板ガラスの端部により形成された段状をなす部位に保持枠の主たる部分が構造シールにより取り付けている。
【先行技術文献】
【特許文献】
【０００３】
【特許文献１】特開平９−２２８７４８号公報
【発明の概要】
【発明が解決しようとする課題】
【０００４】
上記のような複層ガラス障子は、短寸板ガラスと長寸板ガラスとの間にスペーサーと１次シールとが介在され、スペーサーの外周側に２次シールが設けられ、複層ガラスの周端部に形成された段状の部位と保持枠との間に構造シールが介在されて構成されている。そして、複層ガラス障子を形成する場合には、２次シールにて２枚のガラスを接着して複層ガラスを形成し、その後２枚のガラスが接着された複層ガラスと保持枠とを接着するというように、２度の接着工程を行わなければならない。このため、各々のシール材を使用する毎に、シール材を乾燥させなければならず、製造が煩雑であるとともに、製造時間が掛かるなど製造性が悪いという課題がある。
【０００５】
本発明は、かかる課題に鑑みてなされたものであり、その目的とするところは、製造性に優れた面材保持構造体、建具、及び、面材保持方法を提供することにある。
【課題を解決するための手段】
【０００６】
かかる目的を達成するために本発明の面材保持構造体は、複数枚の面材と、前記複数枚の面材を保持する枠部材と、を備えた面材保持構造体であって、前記複数枚の面材は、各々の前記面材間にスペーサーを介して互いに間隔を隔てて対面され、前記複数枚の面材のうちの、面外方向における一方側の端に配置される１枚の前記面材は、他の前記面材より面内方向において外方側に突出され、前記スペーサーは、前記他の面材の周縁部より内側に配置され、前記１枚の面材の前記他の面材より突出した突出部位と前記枠部材とが対面して形成される空間、及び、対面する前記面材間に介在された前記スペーサーと前記枠部材とが対面して形成される空間に、前記対面する前記面材同士、及び、前記面材と前記枠部材とを固定する固定剤が充填されており、前記複数枚の面材は、前記他の面材と前記枠部材との間に配置部材が介在されて、前記枠部材との間に前記空間が形成されていることを特徴とする面材保持構造体である。
【０００７】
このような面材保持構造体によれば、固定剤は、２枚の面材の周端部側であって、スペーサーより外周側において２枚の面材が対面している部位、及び、１枚の面材の他の面材より突出した突出部位と枠部材とが対面している部位、に充填されているので、２枚の面材同士及び突出している突出部位を有する面材と枠部材とを、各々固定することが可能である。このため、１つの固定剤により２枚の面材同士及び面材と枠部材とを固定することが可能なので、固定する時間のみならず固定するために養生する時間も短縮され、容易にかつ短時間で製造することが可能な製造性に優れた面材保持構造体を提供することが可能である。  
また、２枚の面材同士及び面材と枠部材とを単一の固定剤にて固定するので、固定剤の管理が簡単であるとともに、コストを低減することが可能である。
【０００８】
また、複数枚の面材は、他の面材と枠部材との間に配置部材が介在されて、枠部材との間に空間が形成されているので、固定剤を充填する空間を確実に設けることが可能である。
【０００９】
かかる面材保持構造体であって、前記面材は透光性を有し、前記面材と前記スペーサーとの間にはシール材が介在されており、前記固定剤と前記シール材とは同系色であることが望ましい。  
このような面材保持構造体によれば、透光性を有する面材とスペーサーとの間に介在されるシール材と、２枚の面材間及び面材と枠部材間に充填される固定剤とが同系色なので、面材越しに、シール材及び固定剤が視認されたとしても、１種類のシール材のように見えるため美観に優れた面材保持構造体を実現することが可能である。ここで、シール材と固定剤とは、同色であっても構わない。
【００１０】
かかる面材保持構造体であって、前記面材は透光性を有し、前記面材と前記スペーサーとの間にはシール材が介在されており、前記固定剤と前記シール材とは互いに異なる色であることとしても良い。  
このような面材保持構造体によれば、透光性を有する面材とスペーサーとの間に介在されるシール材と、２枚の面材間及び面材と枠部材間に充填される固定剤とが互いに異なる色なので、面材越しに、シール材及び固定剤が視認されたときに、異なる色合いの部位を並べて見せることによりデザイン性に優れた面材保持構造体を実現することが可能である。
【００１１】
かかる面材保持構造体であって、前記面材は透光性を有し、前記面材と前記スペーサーとの間にはシール材が介在されており、前記１枚の面材の、前記固定剤と前記シール材とが接触している部位またはその裏面が塗装されていることとしても良い。  
このような面材保持構造体によれば、透光性を有する面材とスペーサーとの間に介在されるシール材と、２枚の面材間及び面材と枠部材間に充填される固定剤とは、１枚の面材の、固定剤とシール材とが接触している部位またはその裏面に施された塗装に隠されて視認されない。このため、固定剤とシール材との存在を意識させることがない意匠性に優れた面材保持構造体を実現することが可能である。
【００１２】
また、面材保持構造体を障子とし、前記障子が取り付けられる枠部材を有することを特徴とする建具である。  
このような建具によれば、製造性に優れた障子を備えた建具を提供することが可能である。
【００１３】
また、複数枚の面材を対面させるとともに、前記複数枚の面材のうちの１枚の前記面材を他の前記面材より外方側に突出させ、前記他の面材の周縁部より内側にてスペーサーを介することにより互いに間隔を隔てて前記複数枚の面材を仮固定して面材仮ユニットを形成する面材仮ユニット生成工程と、前記面材仮ユニットが有する前記１枚の前記面材の前記他の面材より突出した突出部位、及び、対面する前記面材間に介在された前記スペーサーと、当該面材仮ユニットが保持される枠部材とを対面させ、前記スペーサーの枠部材側において各々の面材間に形成されるスペーサー側空間と、前記１枚の面材と前記枠部材とが対面する面材側空間とが形成されるように配置する配置工程と、前記スペーサー側空間と前記面材側空間とに固定剤を充填して、各々の前記面材と前記枠部材とを固定して前記面材を前記枠部材にて保持する面材保持工程と、を有することを特徴とする面材保持方法である。
【００１４】
このような面材保持方法によれば、２枚の面材の周端部側であって、スペーサーより外周側において２枚の面材が対面している部位、及び、１枚の面材の他の面材より突出した突出部位と枠部材とが対面している部位、に固定剤を充填するだけで、２枚の面材同士及び突出している突出部位を有する面材と枠部材とを、各々固定することが可能である。このため、１つの固定剤にて２枚の面材同士及び面材と枠部材とを固定するので、固定する時間のみならず固定するために養生する時間も短縮され、容易にかつ短時間で製造することが可能である。
【発明の効果】
【００１５】
本発明によれば、製造性に優れた面材保持構造体、建具、及び、面材保持方法を提供することが可能である。
【図面の簡単な説明】
【００１６】
【図１】本実施形態に係る建具の縦断面図である。
【図２】本実施形態に係る建具の水平断面図である。
【図３】本実施形態に係る面材仮ユニットと保持框との接合部を示す断面図である。
【図４】本実施形態にかかる面材仮ユニットの保持方法を説明するフロー図である。
【図５】本実施形態にかかる面材仮ユニットの保持方法を説明する断面図である。
【発明を実施するための形態】
【００１７】
以下、本発明の一実施形態として、面材保持構造体としての障子を備えた建具と、障子が備える面材としてのガラスの保持方法について図面を参照して説明する。
【００１８】
本実施形態の建具１は、図１、図２に示すように、室内外を仕切る面材としての板ガラスが２枚仮固定されて構成される面材仮ユニット５が枠部材としての保持框９に保持された面材保持構造体としての障子１０と、室内外を連通し障子１０によって開閉される開口を形成する枠体３とを有する、辷り出し窓用の建具１である。
【００１９】
以下の説明においては、建物等に取り付けられた状態の建具１を室内側から見たときに、枠体３及び障子１０の上下となる方向を上下方向、左右となる方向を左右方向または見付け方向、室内外方向である奥行き方向を見込み方向として示す。また、枠体３や障子１０を構成する部材は、単体の状態であっても建具１が建物等に取り付けられた状態で上下方向、見付け方向、見込み方向等となる方向にて方向を特定して説明する。
【００２０】
枠体３は、建物の躯体(不図示)に固定されて矩形状をなすように、上下の横枠３ａ、３ｂと左右の縦枠３ｃ、３ｄとが枠組みされた四方枠である。障子１０は枠体３の内周側にて回動しつつ、その回動支点が上下の横枠３ａ、３ｂに沿って見付け方向に移動可能に取り付けられている。
【００２１】
障子１０は、面材仮ユニット５と面材仮ユニット５を保持する枠部材としての保持框９とを有し、面材仮ユニット５は、保持框９に取り付けられたブロック状をなす配置部材としてのセッティングブロック３３を介して配置されて保持框９と固定されている。
【００２２】
保持框９は、上下の横框１２、１５と左右の縦框１８、２１とが矩形状に枠組みされて連通口１０ａを形成し矩形状をなしている。
【００２３】
上下の横框１２、１５は、ほぼ矩形状の中空部１３ａ、１６ａを有し室内側に配置される横框本体１３、１６と、各横框本体１３、１６において保持框９の外周側となる部位から室外側に延出されて面材仮ユニット５を保持する保持部１４、１７と、を有している。
【００２４】
上下の横框１２、１５は、同一の形状をなす押出成形部材であり、上の横框１２と下の横框１５とは、上下が反転した状態にて左右の縦框１８、２１と接合されている。
【００２５】
左右の縦框１８、２１も、ほぼ矩形状の中空部１９ａ、２２ａを有し室内側に配置される縦框本体１９、２２と、各縦框本体１９、２２において保持框９の外周側となる部位から室外側に延出されて面材仮ユニット５を保持する保持部２０、２３と、を有する、同一の形状をなす押出成形部材である。上下の横框１２、１５と左右の縦框１８、２１とは、縦框本体１９、２２に設けられたビスホールに、上下の横框１２、１５と左右の縦框１８、２１とを接合するためのビスが螺合されるため、中空部１３ａ、１６ａ、１９ａ、２２ａの形状は互いに相違しているが、保持部１４、１７、２０、２３は同一形状をなしている。
【００２６】
矩形状に形成された保持框９の上下の横框１２、１５と左右の縦框１８、２１との各中空部１３ａ、１６ａ、１９ａ、２２ａの内周側には、保持框９の室内側の内周面を形成するカバー部材３５が、各横框１２、１５及び各縦框１８、２１の全域に亘って嵌合されている。カバー部材３５には、各横框１２、１５及び各縦框１８、２１に嵌合された状態にて、室外側に突出する突起３５ａが設けられている。
【００２７】
上下の横框１２、１５及び左右の縦框１８、２１の保持部１４、１７、２０、２３は、いずれも同形状なので、ここでは、下の横框（以下、下横框という）１５の保持部１７を例に挙げて、保持部１４、１７、２０、２３及び面材仮ユニット５の構成について説明する。このとき、下横框１５の保持部１７における上方は、矩形状をなす保持框９に囲まれた内側を示し、下横框１５の保持部１７における下方は、矩形状をなす保持框９に囲まれた外側を示している。
【００２８】
下横框１５の保持部１７は、図３に示すように、下横框１５の横框本体１６にて中空部１６ａを形成する下板部１６ｂが室外側に延出されてほぼ水平面を形成する内側延出部１７ａと、内側延出部１７ａの室外側の先端から下方に垂設された垂設壁部１７ｂと、垂設壁部１７ｂの下端から室外側に延出されてほぼ水平面を形成する外側延出部１７ｃと、外側延出部１７ｃの室外側の先端から下方に垂設された縁部１７ｄと、を有している。すなわち、各横框１２、１５及び各縦框１８、２１の保持部１４、１７、２０、２３は、矩形状をなす保持框９に囲まれた領域が、室外側に向かって広がるような階段状をなしている。
【００２９】
下横框１５の保持部１７の内側延出部１７ａにおける見込み方向の中央近傍には下方に垂設されて、垂設壁部１７ｂとほぼ平行をなし、その下端が垂設壁部１７ｂ側に突出した突片１７ｆを有する垂下壁部１７ｅが設けられている。また、垂設壁部１７ｂには、突片１７ｆと対向するように室内側に向かって突出された突片１７ｇが設けられており、突片１７ｆ、１７ｇによりシール部材３０を保持するように構成されている。このため、障子１０の外周部には全周に亘ってシール部材３０が設けられている。
【００３０】
面材仮ユニット５は、面材としての板ガラス５ａ、５ｂが２枚と、対面する２枚の板ガラス５ａ、５ｂの間に介在されたスペーサー５ｃと、を有している。２枚の板ガラス５ａ、５ｂは、面外方向となる見込み方向に並べられ、室外側に配置される外板ガラス５ａが、室内側に配置される内板ガラス５ｂより全周に亘って、面内方向において外方に突出するように構成されている。また、スペーサー５ｃは、内板ガラス５ｂの周縁部５ｅより僅かに内側に全周に亘って配置されている。このため、２枚の板ガラス５ａ、５ｂのスペーサー５ｃより外周側には、２枚の板ガラス５ａ、５ｂが対面するスペーサー側空間Ｓ１が形成されており、外板ガラス５ａは、スペーサー側空間Ｓ１より外周側に突出している。
【００３１】
スペーサー５ｃは、中空の部材であり、中空部分の内側には乾燥材が設けられている。スペーサー５ｃと２枚の板ガラス５ａ、５ｂとの間には、気密性を保持するための粘弾性を有するシール材３２が設けられている。このシール材３２は、恒久的には難しいが、短時間であればスペーサー５ｃと２枚の板ガラス５ａ、５ｂとを仮接合しておくことが可能である。
【００３２】
下横框１５に取り付けられたセッティングブロック３３は、内側延出部１７ａに貼り付けられて、内板ガラス５ｂの室内側に位置するように、矩形状をなす保持框９の内側に向かって突出する内突部３３ａと、内板ガラス５ｂの室外側に位置するように、矩形状をなす保持框９の内側に向かって突出する外突部３３ｂと、内突部３３ａと外突部３３ｂとをそれらの外周側にて繋いで一体をなす連結部３３ｃとを有している。内突部３３ａの室内側の部位は、下横框１５の横框本体１６に当接されており、内突部３３ａの室外側の部位は、上下の横框１２、１５と左右の縦框１８、２１に嵌合されたカバー部材３５の突起３５ａの見込み方向の位置とほぼ同じになるように形成されている。このセッティングブロック３３は、上下の横框１２、１５に取り付けられており、左右の縦框１８、２１には取り付けられていない。また、セッティングブロック３３は、見付け方向における長さが上下の横框１２、１５の見付け方向の幅より十分に短く形成されており、例えば、上下の横框１２、１５にそれぞれ見付け方向において２つずつ取り付けられている。
【００３３】
面材仮ユニット５は、セッティングブロック３３を介して保持框９に配置されると、内板ガラス５ｂの周縁部５ｅと内側延出部１７ａとが、また、外板ガラス５ａの周縁部５ｆと外側延出部１７ｃとが間隔を隔てて対向する。そして、上下の横框１２、１５及び左右の縦框１８、２１のスペーサー５ｃより外周側には、保持部１４、１７、２０、２３との間に、２枚の板ガラス５ａ、５ｂが対面するスペーサー側空間Ｓ１及び外板ガラス５ａの突出する突出部位５ｄと垂設壁部１４ｂ、１７ｂ、２０ｂ、２３ｂとの間の面材側空間Ｓ２を含み、外板ガラス５ａの周縁部５ｆと外側延出部１７ｃとの間からスペーサー側空間Ｓ１まで繋がった空間Ｓ３に固定剤として接着機能を有するシリコンシーラント３４が充填されている。
【００３４】
本実施形態の障子１０におけるガラスの保持方法は、図４、図５に示すように、まず、２枚の板ガラス５ａ、５ｂを、それらの間にスペーサー５ｃを介在させるとともに、スペーサー５ｃと内板ガラス５ｂ及び外板ガラス５ａとの間にシール材３２を介して仮固定し面材仮ユニット５を形成しておく（面材仮ユニット生成工程ＳＴＥＰ１）。
【００３５】
次に、上下の横框１２、１５にシール部材３０とセッティングブロック３３とを取り付け、左右の縦框１８、２１にシール部材３０を取り付け、下横框１５と左右の縦框１８、２１とを組み立てて、コ字状をなす仮框体９ａを形成する。
【００３６】
次に、仮框体９ａを、室内側が下方になるように、図示しない作業台等の上に載置し、上方から面材仮ユニット５の内板ガラス５ｂが下側になるような姿勢にて仮框体９ａに近づけ、面材仮ユニット５の下横框１５側の端部を、下横框１５のセッティングブロック３３の内突部３３ａと外突部３３ｂとの間に挿入するとともに仮框体９ａに載置する。その後、面材仮ユニット５の上の横框１２側の端部を、上の横框１２のセッティングブロック３３の内突部３３ａと外突部３３ｂとの間に挿入し、仮框体９ａと上の横框１２とを接合する（配置工程ＳＴＥＰ２）。この状態にて、面材仮ユニット５が有する外板ガラス５ａの内板ガラス５ｂより突出した突出部位５ｄ、及び、内板ガラス５ｂと外板ガラス５ａとの間に介在されたスペーサー５ｃと、面材仮ユニット５が保持される保持框９とが対面され、スペーサー側空間Ｓ１と面材側空間Ｓ２とが繋がった空間Ｓ３が形成される。
【００３７】
最後に、外板ガラス５ａの周縁部５ｆと外側延出部１４ｃ、１７ｃ、２０ｃ（図２）、２３ｃ（図２）との間から、スペーサー側空間Ｓ１まで繋がった空間Ｓ３にシリコンシーラント３４を全周に亘って充填する（面材保持工程ＳＴＥＰ３）。このとき、外板ガラス５ａ及び内板ガラス５ｂとスペーサー５ｃとの間に介在されるシール材３２と空間Ｓ３に充填されるシリコンシーラント３４とを同系色、例えば、黒色系に統一しておくと、室外側から外板ガラス５ａ越しに障子１０を見たときにシール材３２とシリコンシーラント３４との境界が目立ち難い。
【００３８】
本実施形態の障子１０及び建具１によれば、接着機能を有するシリコンシーラント３４が充填されている空間Ｓ３は、２枚の板ガラス５ａ、５ｂの周端部側であって、スペーサー５ｃより外周側において２枚の板ガラス５ａ、５ｂが対面している部位と、外板ガラス５ａの内板ガラス５ｂより突出した突出部位５ｄと保持框９とが対面している部位とが繋がっているので、シリコンシーラント３４により２枚の板ガラス５ａ、５ｂ同士及び突出している突出部位５ｄを有する外板ガラス５ａと保持框９とを、各々接着することにより固定することが可能である。このため、２枚の板ガラス５ａ、５ｂ同士及び面材仮ユニット５と保持框９とを一度に接着して固定することが可能なので、接着する時間のみならず養生する時間も短縮され、容易にかつ短時間で製造することが可能な製造性に優れた障子を提供することが可能である。
【００３９】
また、面材仮ユニット５は、保持框９に取り付けられたセッティングブロック３３の内突部３３ａ上に内板ガラス５ｂが載置されて、保持框９との間に空間Ｓ３が確保されているので、シリコンシーラント３４を充填する空間Ｓ３を確実に設けることが可能である。
【００４０】
また、面材が透光性を有するガラスであり、外板ガラス５ａ及び内板ガラス５ｂとスペーサー５ｃとの間に介在されるシール材３２と空間Ｓ３に充填されるシリコンシーラント３４とを黒色などの同系色に統一したので、外板ガラス５ａ越しに、シール材３２及びシリコンシーラント３４が見えたとしても、境界が視認しにくく、１種類のシール材のように見えるため、より美観に優れた障子１０を実現することが可能である。さらに、面材を板ガラス５ａ、５ｂとしたので、複層のガラスを有する面材仮ユニット５を備え、製造性及び美観に優れた障子１０を提供することが可能である。また、製造性及び美観に優れた障子１０を備えた建具１を提供することも可能である。
【００４１】
本実施形態の面材保持方法によれば、シリコンシーラント３４が充填される空間Ｓ３は、２枚の板ガラス５ａ、５ｂの周端部側であって、スペーサー５ｃより外周側において２枚の板ガラス５ａ、５ｂが対面している部位と、外板ガラス５ａの内板ガラス５ｂより突出した突出部位５ｄと保持框９とが対面している部位とが繋がっているので、この空間Ｓ３にシリコンシーラント３４を充填することにより、２枚の板ガラス５ａ、５ｂ同士及び突出している突出部位５ｄを有する外板ガラス５ａと保持框９とを、各々接着することが可能である。このため、２枚の板ガラス５ａ、５ｂ同士及び面材仮ユニット５と保持框９とを一度に接着することが可能なので、接着する時間のみならず養生する時間も短縮され、容易にかつ短時間で製造することが可能である。
【００４２】
また、２枚の板ガラス５ａ、５ｂ同士及び面材仮ユニット５と保持框９とを単一のシリコンシーラント３４にて接着するので、シリコンシーラント３４の管理が簡単であるとともに、コストを低減することが可能である。
【００４３】
上記実施形態においては、外板ガラス５ａ及び内板ガラス５ｂとスペーサー５ｃとの間に介在されるシール材３２と空間Ｓ３に充填されるシリコンシーラント３４とを同系色としたが、互いに異なる色としてもよい。この場合には、外板ガラス５ａ越しに、シール材３２及びシリコンシーラント３４が視認されたときに、異なる色合いの部位を並べて見せることによりデザイン性に優れた障子１０を実現することが可能である。
【００４４】
また、上記実施形態においては、外板ガラス５ａ及び内板ガラス５ｂとスペーサー５ｃとの間に介在されるシール材３２と空間Ｓ３に充填されるシリコンシーラント３４とが外板ガラス５ａ越しに視認可能な例について説明したが、外板ガラス５ａの、シール材３２とシリコンシーラント３４とが接触している部位、または、その室外側の面(裏面)が塗装されていることとしても良い。この場合には、シール材３２及びシリコンシーラント３４が外板ガラス５ａの面に施された塗装に隠されて視認されない。このため、シリコンシーラント３４とシール材３２との存在を意識させることがない意匠性に優れた障子１０及び建具１を実現することが可能である。
【００４５】
上記実施形態においては、建具１としての外開き窓用の建具を例示したが、本発明の建具１は、外開き窓に限らず、引き違い窓や片引き窓など、面材仮ユニットと枠部材とを備えた構成であれば、壁材やカーテンウォールであっても構わない。また、面材はガラスに限らず、外装材または内装材等であっても構わない。
【００４６】
また、上記実施形態においては、面材仮ユニットを２枚の板ガラスにて構成した例について説明したが、これに限るものではなく、３枚以上であっても構わない。このとき、面材仮ユニットは、面外方向における一方側の端に配置される１枚の板ガラスが、他の板ガラスより面内方向において外方側に突出され、他の板ガラスのうちの少なくとも１枚がセッティングブロックに係合していればよい。
【００４７】
上記実施形態においては、上下の横框１２、１５にセッティングブロック３３を取り付け、下横框１５と左右の縦框１８、２１とを組み立てたコ字状をなす仮框体９ａの下横框１５に取り付けられたセッティングブロック３３の内突部３３ａと外突部３３ｂとの間に面材仮ユニット５の下横框１５側の端部を挿入した後に、面材仮ユニット５の上横框１２側の端部を、上横框１２に取り付けられたセッティングブロック３３の内突部３３ａと外突部３３ｂとの間に挿入して、仮框体９ａと上横框１２とを接合した例について説明したが、これに限るものではない。たとえば、面材仮ユニット５の上横框１２側の端部及び下横框１５側の端部にセッティングブロック３３を取り付けておき、矩形状に形成された保持框９に、セッティングブロック３３が取り付けられた面材仮ユニット５を取り付けても構わない。
【００４８】
また、上記実施形態においては、内突部３３ａと外突部３３ｂとを有するセッティングブロック３３を用いた例について説明したが、内突部３３ａと外突部３３ｂは、必ずしも設けられていなくともよい。セッティングブロックに内突部が設けられていない場合には、内板ガラスと保持框とが直接接触することを避けるために、保持框に面材仮ユニットを仮固定する両面テープやシール材等を、内板ガラスと保持框との間に介在させてもよい。
【００４９】
また、上記実施形態においては、外板ガラスの周縁部と外側延出部との間からスペーサー側空間Ｓ１まで繋がった空間Ｓ３に充填する固定剤をシリコンシーラント３４としたが、これに限るものではなく、水密性と粘弾性とを有し、面材同士および面材と框とを固定可能な部材であれば構わない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  建具、３  枠体、５  面材仮ユニット、５ａ  外板ガラス、
５ｂ  内板ガラス、５ｃ  スペーサー、５ｄ  突出部位、
５ｅ  内板ガラスの周縁部、５ｆ  外板ガラスの周縁部、
９  保持框、１０  障子、１２  上の横框、１３  横框本体、
１４  保持部、１５  下の横框(下横框)、１６  横框本体、
１７  保持部、１７ａ  内側延出部、１７ｂ  垂設壁部、１７ｃ  外側延出部、
１８  左の縦框、１９  縦框本体、２０  保持部、
３０  シール部材、３２  シール材、３３  セッティングブロック、
３３ａ  内突部、３３ｂ  外突部、３４  シリコンシーラント、
Ｓ１  スペーサー側空間、Ｓ２  面材側空間、Ｓ３  空間
【図１】
0005575694.tif 000002
【図２】
0005575694.tif 000003
【図３】
0005575694.tif 000004
【図４】
0005575694.tif 000005
【図５】
0005575694.tif 000006